(57)【要約】【課題】幅広のスロットに幅の狭いカードを安定した状態で挿入可能な収納装置および電子機器を提供すること。【解決手段】本発明に係わる収納装置１０は、第１のカード装置１２、または第１のカード装置１２より幅広の幅広部を有する第２のカード装置２２を収納可能な収納部１３と、収納部１３に設けられ第１のカード装置１２の挿脱時に開放される第１の扉１８と、収納部１３に設けられ第２のカード装置２２の挿脱時に第１の扉１８とともに開放される第２の扉２８とを具備する。【選択図】  図８
2007241416.tif 000002
【特許請求の範囲】
【請求項１】
第１のカード装置、または前記第１のカード装置より幅広の幅広部を有する第２のカード装置を収納可能な収納部と、
前記収納部に設けられ前記第１のカード装置の挿脱時に開放される第１の扉と、
前記収納部に設けられ前記第２のカード装置の挿脱時に第１の扉とともに開放される第２の扉と、
を具備することを特徴とする収納装置。
【請求項２】
前記第１の扉および第２の扉は、ばねで前記収納部の内側から外側に向けて付勢され前記収納部の内側に開閉自在に形成されることを特徴とする請求項１記載の収納装置。
【請求項３】
前記収納部に重なるように設けられ、前記第１のカード装置および第２のカード装置とは異なる第３のカード装置を収納可能な第２の収納部をさらに備え、
前記第３のカード装置の前記第２の収納部に対する挿脱時の前記第１の扉および前記第２の扉の状態は開放されている状態であることを特徴とする請求項１記載の収納装置。
【請求項４】
第１のカード装置、または前記第１のカード装置より幅広の幅広部を有する第２のカード装置を収納可能な収納部と、
前記収納部に設けられ前記第１のカード装置の挿脱時に開放される第１の扉と、
前記収納部に設けられ前記第２のカード装置の挿脱時に第１の扉とともに開放される第２の扉と、
前記第１のカード装置または前記第２のカード装置を制御するコントローラと、
を具備することを特徴とする電子機器。
【請求項５】
前記第１の扉および第２の扉は、ばねで前記収納部の内側から外側に向けて付勢され前記収納部の内側に開閉自在に形成されることを特徴とする請求項４記載の電子機器。
【請求項６】
前記収納部に重なるように設けられ、前記第１のカード装置および第２のカード装置とは異なる第３のカード装置を収納可能な第２の収納部をさらに備え、
前記第３のカード装置の前記第２の収納部に対する挿脱時の前記第１の扉および前記第２の扉の状態は開放されている状態であることを特徴とする請求項４記載の電子機器。
【発明の詳細な説明】
【技術分野】
【０００１】
本発明は、収納装置および電子機器に関する。
【背景技術】
【０００２】
近年、ノートパソコンには、記憶媒体であるエクスプレスカード（Ｅｘｐｒｅｓｓ  Ｃａｒｄ）の収納保持用のスロットが設けられるようになってきた。
【０００３】
エクスプレスカードには、カードの幅および形状が異なるＥｘｐｒｅｓｓ  Ｃａｒｄ／３４という規格と、Ｅｘｐｒｅｓｓ  Ｃａｒｄ／５４という規格がある。
【０００４】
Ｅｘｐｒｅｓｓ  Ｃａｒｄ／３４用のカードは、幅が前面側から背面側まで同じ３４ｍｍで、長さが７５ｍｍに形成された矩形状のカードである。
【０００５】
また、Ｅｘｐｒｅｓｓ  Ｃａｒｄ／５４用のカードは、前面側に幅が５４ｍｍで長さ５３ｍｍの幅広部と背面側に幅が３４ｍｍで長さ２２ｍｍの幅狭部とを有し、全体の長さが７５ｍｍで略Ｌ字状に形成されたカードである。
【０００６】
Ｅｘｐｒｅｓｓ  Ｃａｒｄ／３４のカードとＥｘｐｒｅｓｓ  Ｃａｒｄ／５４のカードとはカードの厚さおよび背面側に設けられたコネクタの規格が同一である。このため、エクスプレスカードは、同一のコネクタにＥｘｐｒｅｓｓ  Ｃａｒｄ／３４のカードまたはＥｘｐｒｅｓｓ  Ｃａｒｄ／５４のカードのいずれか一方を任意に選択して接続することが可能になっている。
【０００７】
コネクタの規格が同一であるため、従来のエクスプレスカードの収納保持用のスロットは、１個のスロットでＥｘｐｒｅｓｓ  Ｃａｒｄ／３４のカードおよびＥｘｐｒｅｓｓ  Ｃａｒｄ／５４のカードのいずれか一方を任意に収納可能にしたものが知られている。
【０００８】
すなわち、従来のエクスプレスカードの収納保持用のスロットとして、スロットのカードを挿入する開口部の幅をＥｘｐｒｅｓｓ  Ｃａｒｄ／３４のカードおよびＥｘｐｒｅｓｓ  Ｃａｒｄ／５４のカードのいずれのカードの挿脱も可能な略５４ｍｍとし、Ｅｘｐｒｅｓｓ  Ｃａｒｄ／３４およびＥｘｐｒｅｓｓ  Ｃａｒｄ／５４のカードに共通するコネクタを設け、開口部に埃の侵入を防止する等のための１枚構成のシャッターを設けたものが知られている。
【０００９】
しかし、従来のスロットは、収納部の前面側にＥｘｐｒｅｓｓ  Ｃａｒｄ／５４のカードを収納可能にする幅広部が形成されているため、コネクタに接続したＥｘｐｒｅｓｓ  Ｃａｒｄ／３４のカードが幅広部でがたつき、コネクタが緩んでカードが脱落するおそれがあった。
【００１０】
これに対し、従来、下記の従来技術が公開されている。
【００１１】
特許文献１（特開２００５−２４３４３４号公報）には、第１断面形状の第１カードを挿入可能な第１挿入口と、断面形状の異なった第２カードを挿入可能な第２挿入口とを備えたコネクタハウジングを有し、第１挿入口と第２挿入口の両方を閉鎖する閉鎖姿勢と、いずれか一方のみを開状態とする選択開口姿勢との間で姿勢変更可能に構成され、閉鎖姿勢に付勢されるセレクタを備え、閉鎖姿勢にあるセレクタをカードの挿入操作に伴って挿入されるカードの断面形成に対応する挿入口が開状態である選択開口姿勢にするセレクタ姿勢決定手段を備えたカードコネクタが開示されている。
【特許文献１】特開２００５−２４３４３４号公報
【発明の開示】
【発明が解決しようとする課題】
【００１２】
しかし、特許文献１記載のカードコネクタは、同一のスロットにＥｘｐｒｅｓｓ  Ｃａｒｄ／３４およびＥｘｐｒｅｓｓ  Ｃａｒｄ／５４のカードのような幅広のカードと幅狭のカードを挿入するものでなく、また、幅広のスロットに幅狭のカードを挿入したときにカードの横方向のがたつきを規制してカードの脱落を解消するものでもない。
【００１３】
そこで、本発明は、幅広のスロットに幅の狭いカードを安定した状態で挿入可能な収納装置および電子機器を提供することを目的とする。
【課題を解決するための手段】
【００１４】
上記課題を解決するために、請求項１に係わる収納装置は、第１のカード装置、または前記第１のカード装置より幅広の幅広部を有する第２のカード装置を収納可能な収納部と、前記収納部に設けられ前記第１のカード装置の挿脱時に開放される第１の扉と、前記収納部に設けられ前記第２のカード装置の挿脱時に第１の扉とともに開放される第２の扉と、を具備することを特徴とする。
【００１５】
また、請求項４に係わる電子機器は、第１のカード装置、または前記第１のカード装置より幅広の幅広部を有する第２のカード装置を収納可能な収納部と、前記収納部に設けられ前記第１のカード装置の挿脱時に開放される第１の扉と、前記収納部に設けられ前記第２のカード装置の挿脱時に第１の扉とともに開放される第２の扉と、前記第１のカード装置または前記第２のカード装置を制御するコントローラと、を具備することを特徴とする。
【発明の効果】
【００１６】
幅広のスロットに幅の狭いカードを安定した状態で挿入可能な収納装置および電子機器を提供することが可能となる。
【発明を実施するための最良の形態】
【００１７】
本発明に係る収納装置および電子機器の実施の形態について添付図面を参照して説明する。
【００１８】
図１は、本発明に係る電子機器１を示す斜視図である。
【００１９】
図１に示された電子機器１は、ノートパソコンの例であるが、ラップトップ式パソコンであってもよい。この電子機器１は、筐体２にヒンジ手段３を介して表示パネル等の表示手段４を備えた蓋体５が回動自在に接続される。筐体２の上部表面にはキーボード等の入力手段６が設けられる。ヒンジ手段３は、蓋体５を筐体２に電気的および機械的に接続している。
【００２０】
図２は、電子機器１の一部を拡大して示す斜視図である。
【００２１】
電子機器１の筐体２には収納装置１０が内蔵される。筐体２の側壁３８には収納装置１０の開口部３２が形成される。また、収納装置１０の開口部３２には、第１の扉１８と第２の扉２８が設けられる。
【００２２】
収納装置１０について図面を参照して説明する。図３は、収納装置１０を示す斜視図である。
【００２３】
収納装置１０は、第１のカード装置１２または第２のカード装置２２を任意に選択して収納可能な第１の収納部１３を有するカード収納ボックス３１を備える。
【００２４】
ここで、第１のカード装置１２は、第２のカード装置２２より幅狭のカード状の電子記憶媒体である。第１のカード装置１２は、たとえば、図４に示すような、前面側から背面側まで略同じ幅で矩形状に形成されたカードである。図４中、第１のカード装置１２の幅を符号Ａで示す。
【００２５】
第１のカード装置１２は、先端面１２Ｃに、第１の収納部１３内に設けられたコネクタ５１との電気的、機械的接続が可能な図示しない接続部が設けられる。
【００２６】
第１のカード装置１２は、たとえば、前面側から背面側まで略同じ３４ｍｍ幅で形成されたＥｘｐｒｅｓｓ  Ｃａｒｄ／３４のカードである。
【００２７】
また、第２のカード装置２２は、第１のカード装置１２より幅広の幅広部を有するカード状の電子記憶媒体である。第２のカード装置２２は、たとえば、図５に示すような、前面側に第１のカード装置１２より幅広の幅広部２２ａおよび背面側に第１のカード装置１２と略同じ幅の幅狭部２２ｂを有し全体が略Ｌ字状に形成されたカードである。
【００２８】
図５中、幅広部２２ａの幅を符号Ｂ、幅狭部２２ｂの幅を符号Ｃで示す。第２のカード装置２２の幅狭部２２ｂの幅Ｃは、第１のカード装置１２の幅Ａと略同一である。
【００２９】
第２のカード装置２２は、先端面２２Ｃに、第１の収納部１３内に設けられたコネクタ５１との電気的、機械的接続が可能な図示しない接続部が設けられる。
【００３０】
第２のカード装置２２は、たとえば、前面側に幅が５４ｍｍで長さ５３ｍｍの幅広部２２ａと背面側に幅が３４ｍｍで長さ２２ｍｍの幅狭部２２ｂとを有し、全体の長さが７５ｍｍで略Ｌ字状に形成されたＥｘｐｒｅｓｓ  Ｃａｒｄ／５４のカードである。
【００３１】
第１の収納部１３は、第１のカード装置１２または第２のカード装置２２を任意に選択して収納可能な空間である。
【００３２】
図３中、第１の収納部１３は、上下方向が、天板４１と上下隔壁４２とで囲まれると共に、横方向が、第１の扉１８および第２の扉２８、左側面板４３、背面板４４、上部後方右側面板４５、上部右斜め後方面板４６ならびに右側面板４７で囲まれる断面が変形した六角形状の空間として示される。
【００３３】
第１の収納部１３は、前面側から、第１の収納部の幅広部１４、第１の収納部の案内部１５および第１の収納部の幅狭部１６が形成される。
【００３４】
第１の収納部の幅広部１４は、第１の収納部１３のうち、左側面板４３と右側面板４７との間に形成される空間である。
【００３５】
第１の収納部の幅広部１４は、左側面板４３と右側面板４７との間の離間距離Ｘが、第２のカード装置２２の幅広部２２ａの幅Ｂと略同じ値になっており、第２のカード装置２２の幅広部２２ａを収納可能になっている。
【００３６】
第１の収納部の案内部１５は、第１の収納部１３のうち、左側面板４３と上部右斜め後方面板４６との間に形成される空間である。
【００３７】
第１の収納部の案内部１５は、上部後方右側面板４５と右側面板４７との間をスムーズに結んで連設された上部右斜め後方面板４６により、第２のカード装置２２の幅狭部２２ｂの先端部を第１の収納部の幅狭部１６に案内することができるようになっている。
【００３８】
第１の収納部の幅狭部１６は、第１の収納部１３のうち、左側面板４３と上部後方右側面板４５との間に形成される空間である。
【００３９】
第１の収納部の幅狭部１６は、左側面板４３と上部後方右側面板４５との間の離間距離Ｙが、第１のカード装置１２の幅Ａおよび第２のカード装置２２の幅狭部２２ｂの幅Ｃと略同じ値になっており、第１のカード装置１２または第２のカード装置２２の幅狭部２２ｂを収納可能になっている。
【００４０】
第１の収納部１３の奥端部１７には、第１のカード装置１２または第２のカード装置のいずれか一方を任意に選択して接続可能なコネクタ５１が設けられる。図３には、コネクタ５１を模式的に示す。
【００４１】
カード収納ボックス３１は、第１のカード装置１２または第２のカード装置２２を収納する第１の収納部１３の下に重なるように、隔壁４２を介して、第１のカード装置１２および第２のカード装置２２とは異なる図示しない第３のカード装置を収納する第２の収納部２３を備える。
【００４２】
ここで、第３のカード装置は、特に限定されないが、たとえば、矩形状で幅５４ｍｍに形成されたＰＣＭＣＩＡ規格のＰＣカードである。
【００４３】
図３中、第２の収納部２３は、上下方向が、天板４１ｂおよび上下隔壁４２と底板４８とで囲まれると共に、横方向が、第１の扉１８および第２の扉２８、左側面板４３、背面板４４ならびに右側面板４７で囲まれる断面が矩形状の空間として示される。
【００４４】
第２の収納部２３の奥端部２７には、図示しない第３のカード装置を接続可能なコネクタ５２が設けられる。図３には、コネクタ５２を模式的に示す。
【００４５】
なお、収納装置１０において、第２の収納部２３は必須のものでなく、形成してもしなくてもよい。
【００４６】
収納装置１０に第２の収納部２３を形成すると、第１のカード装置１２および第２のカード装置２２とは異なるカードのためのスロットをスペース効率よく設置することができ、このスロットの前面に設ける扉を第１の収納部１３と共用することができるため好ましい。
【００４７】
たとえば、第２のカード装置２２がＥｘｐｒｅｓｓ  Ｃａｒｄ／５４のカードで、第３のカード装置がＰＣＭＣＩＡ規格のＰＣカードである場合は、Ｅｘｐｒｅｓｓ  Ｃａｒｄ／５４のカードもＰＣＭＣＩＡ規格のＰＣカードも共に最大幅が５４ｍｍであるため、第１の収納部１３の前面部の幅と第２の収納部２３の前面部の幅とを同一にすることができる。
【００４８】
このため、第１の扉１８および第２の扉２８は、Ｅｘｐｒｅｓｓ  Ｃａｒｄ／５４のカードに対応する第１の収納部１３用のシャッター、およびＰＣＭＣＩＡ規格のＰＣカードに対応する第２の収納部２３用のシャッターとして共用することが可能になる。
【００４９】
第２の収納部２３は、第１の収納部１３に第１のカード装置１２を挿入し、第２の収納部２３に図示しない第３のカード装置を挿入しない場合に、第１の扉１８のみが開扉して第２の扉２８が閉扉した状態になるように、第１の収納部１３の下に設けられる。
【００５０】
隔壁４２は、隔壁４２の前端部４２ａが、第１の収納部１３の内側に開放される第１の扉１８および第２の扉２８と干渉しない位置に形成される。
【００５１】
収納装置１０は、カード収納ボックス３１の第１の収納部１３の前面側に、独立して第１の収納部１３の内側に開閉自在に設けられた第１の扉１８と第２の扉２８が備えられる。
【００５２】
第１の扉１８は、第１の収納部１３の前面側に設けられ、第１のカード装置１２の挿脱時に単独で開放され、かつ、第２のカード装置２２の挿脱時に第２の扉２８と共に開放されるように形成される。
【００５３】
すなわち、第１の扉１８は、第１の収納部１３の前面側に設けられた開口部３２のうち、第１の収納部の幅狭部１６の前面に相当する部分を、開閉自在とする位置に設けられる。
【００５４】
具体的には、収納装置１０において、第１の扉１８は、開口部３２のうち、第１の収納部の幅狭部１６の前面に相当する部分と、この部分の下に位置しかつ第２の収納部２３の前面に相当する部分と、を包含する部分に設けられる。
【００５５】
これにより、第１の扉１８は、第１の扉のみの開放で第１カード１２の挿脱を行うことができるようになっている。
【００５６】
第１の扉１８は、内側の突起部３３と外側の突起部３４とを有し、突起部３３と突起部３４とで筐体２に係合される。なお、第１の扉１８の筐体２への係合は、突起部３３と突起部３４を用いない公知の方法を用いてもよい。
【００５７】
第１の扉１８は、電子機器１の筐体２の内側に対して開閉自在に形成される。第１の扉１８を第１の収納部１３の内側に対して開閉自在にする機構としては、公知の手段を用いることができるが、たとえば、第１の扉１８の背面側と筐体２との間にバネを設け、このバネで第１の扉１８を第１の収納部１３の内側から外側に向けて付勢すると共に、第１の扉１８の筐体２の外側への動きを規制するストッパを筐体２等に設ける方法を用いることができる。
【００５８】
バネで第１の扉１８を第１の収納部１３の内側から外側に向けて付勢する方法としては、たとえば、図６に示すように、第１の扉１８の背面側に形成された凹部３６にばね３５の先端部３５ａを挿入し、第１の扉１８の外側の突起部３４にばね３５の中間部３５ｂを巻きつけ、筐体２の内面側に形成された凹部３７にばね３５の先端部３５ｃを挿入する方法を用いることができる。
【００５９】
第１の扉１８を第１の収納部１３の内側に対して開閉自在にすることにより、第１の収納部１３に第１のカード装置１２と第２のカード装置２２の両方が挿入されていない場合に、第１の収納部１３内に埃等が侵入することを抑制することができる。
【００６０】
第２の扉２８は、第１の収納部１３の前面側に設けられ、第２のカード装置２２の挿脱時に第１の扉１８と共に開放されるように形成される。
【００６１】
すなわち、第２の扉２８は、第１の収納部１３の前面側に設けられた開口部３２のうち、第１の扉１８が設けられていない部分に第１の扉１８の横方向に隣接して設けられる。
【００６２】
具体的には、収納装置１０において、第２の扉２８は、開口部３２のうち、第１の収納部の幅狭部１６の前面に相当しない部分と、この部分の下に位置しかつ第２の収納部２３の前面に相当する部分と、を包含する部分に設けられる。
【００６３】
これにより、第２の扉２８は、第２のカード装置２２の挿脱時に第１の扉１８と共に開放されるようになっている。
【００６４】
第２の扉２８は、第１の扉１８と同様に、内側の突起部３３と外側の突起部３４とを有し、突起部３３と突起部３４とで筐体２に係合される。なお、第２の扉２８の筐体２への係合は、突起部３３と突起部３４を用いない公知の方法を用いてもよい。
【００６５】
第２の扉２８は、第１の収納部１３に、第１のカード装置１２および第２のカード装置２２のいずれも挿入されない場合や、第１のカード装置１２のみが挿入される場合に、第１の収納部１３内に埃等が侵入することを抑制することができる。
【００６６】
また、第１の扉１８および第２の扉２８は、第３のカード装置の第２の収納部２３に対する挿脱時に開放された状態になるように設けられる。
【００６７】
収納装置１０は、第１の収納部１３に設けられたコネクタ５１から第１のカード装置１２または第２のカード装置２２を取り外して収納装置１０外に取り出す取り出しボタン１９が設けられる。
【００６８】
また、収納装置１０は、第２の収納部２３に設けられたコネクタ５２から図示しない第３のカード装置を取り外して収納装置１０外に取り出す取り出しボタン２９が設けられる。
【００６９】
電子機器１は、上記収納装置１０を内蔵し、さらに、少なくとも第１のカード装置１２および第２のカード装置２２を制御可能なカードコントローラ６７を備える。
【００７０】
図７は、電子機器１の機能ブロック図である。
【００７１】
電子機器１は、ＣＰＵ６０と、ＣＰＵ６０に接続されるＮｏｒｔｈ  Ｂｒｉｄｇｅ（ノースブリッジ）６１と、Ｎｏｒｔｈ  Ｂｒｉｄｇｅ（ノースブリッジ）６１に接続されるＳｏｕｔｈ  Ｂｒｉｄｇｅ（サウスブリッジ）６２、Ｍａｉｎ  Ｍｅｍｏｒｙ（メインメモリ）６６およびＧＰＵ（グラフィックコントローラ）６５と、Ｓｏｕｔｈ  Ｂｒｉｄｇｅ（サウスブリッジ）６２に接続されるＥＣ／ＫＢＣ（エンベデッドコントローラ）６３、カードコントローラ６７および収納装置１０と、ＥＣ／ＫＢＣ（エンベデッドコントローラ）６３に接続されるマウス６８およびキーボード６９と、ＧＰＵ（グラフィックコントローラ）６５に接続されるＬＣＤ（液晶ディスプレイ）６４とからなる。
【００７２】
カードコントローラ６７は、収納装置１０のコネクタ５１に接続される第１のカード装置１２および第２のカード装置２２の少なくとも一方の情報をＳｏｕｔｈ  Ｂｒｉｄｇｅ（サウスブリッジ）６２を介して取得し、第１のカード装置１２および第２のカード装置２２の少なくとも一方を制御する。
【００７３】
カードコントローラ６７は、第２の収納部２３に図示しない第３のカード装置を接続可能なコネクタ５２が設けられる場合には、さらに、第３のカード装置の情報をＳｏｕｔｈ  Ｂｒｉｄｇｅ（サウスブリッジ）６２を介して取得し、第３のカード装置を制御する。
【００７４】
次に、本発明に係る電子機器および収納装置の作用を説明する。図８は、電子機器１に内蔵される収納装置１０に第１のカード装置１２を挿入した様子を示す斜視図である。図９は、電子機器１に内蔵される収納装置１０に第２のカード装置２２を挿入した様子を示す斜視図である。
【００７５】
図８に示すように、収納装置１０の第１の収納部１３に第１のカード装置１２を挿入するときは、第１の扉１８のみが開扉され、第１の扉１８に隣接して設けられた第２の扉２８は閉扉したまま維持される。
【００７６】
このため、第１のカード装置１２を第１の収納部１３の奥端部１７に設けたコネクタ５１に接続すると、第１のカード装置１２の幅方向の動きが、閉扉したまま第２の扉２８の側面部４０に当接して規制される。このため、第１のカード装置１２は、幅方向にがたついてコネクタ５１から脱落することが解消される。
【００７７】
なお、収納装置１０において、第２の収納部２３は、第１の収納部１３の下に設けられる。このため、第１の収納部１３に第１のカード装置１２を挿入し第２の収納部２３に第３のカード装置を挿入しない場合にも、第１の扉１８のみが開扉し第２の扉２８が閉扉した状態になり、第１のカード装置１２は、幅方向にがたついてコネクタ５１から脱落することが解消される。
【００７８】
一方、図９に示すように、収納装置１０の第１の収納部１３に第２のカード装置２２を挿入するときは、第１の扉１８および第２の扉２８が共に開扉される。
【００７９】
第１の収納部１３の幅広部１４は、第２のカード装置２２の幅広部２２ａと略同じ幅で形成される。このため、第２のカード装置２２は、幅方向にがたついてコネクタ５１から脱落することはない。
【００８０】
本発明に係る収納装置１０および収納装置１０を内蔵する電子機器１は、幅広のスロットに幅の狭いカードを挿入したときにカードの横方向のがたつきを規制してカードの脱落を解消することができる。
【図面の簡単な説明】
【００８１】
【図１】本発明に係る電子機器を示す斜視図。
【図２】本発明に係る電子機器の一部を拡大して示す斜視図。
【図４】第１のカード装置を示す斜視図。
【図５】第２のカード装置を示す斜視図。
【図３】本発明に係る収納装置を示す斜視図。
【図６】第１の扉の筐体への取り付け状態を示す斜視図。
【図７】本発明に係る電子機器の機能ブロック図。
【図８】本発明に係る電子機器に内蔵される収納装置に第１のカード装置を挿入した様子を示す斜視図。
【図９】本発明に係る電子機器に内蔵される収納装置に第２のカード装置を挿入した様子を示す斜視図。
【符号の説明】
【００８２】
１  電子機器
２  筐体
３  ヒンジ手段
４  表示手段
５  蓋体
６  入力手段
１０  収納装置
１２  第１のカード装置
１３  第１の収納部
１４  第１の収納部の幅広部
１５  第１の収納部の案内部
１６  第１の収納部の幅狭部
１７  第１の収納部の奥端部
１８  第１の扉
１９  取り出しボタン
２２  第２のカード装置
２２ａ  第２のカード装置の幅広部
２２ｂ  第２のカード装置の幅狭部
２３  第２の収納部
２７  第２の収納部の奥端部
２８  第２の扉
２９  取り出しボタン
３０  側壁
３１  カード収納ボックス
３２  開口部
３３  突起部
３４  突起部
３５  ばね
３５ａ  ばねの先端部
３５ｂ  ばねの中間部
３５ｃ  ばねの先端部
３６  第１の扉の凹部
３７  電子機器の筐体の凹部
３８  筐体の側壁
４０  第２の扉の側面部
４１ｂ  天板
４２  上下隔壁
４２ａ  上下隔壁の前端部
４３  左側面板
４４  背面板
４５  上部後方右側面板
４６  上部右斜め後方面板
４７  右側面板
４８  底板
５１  第１のカード装置および第２のカード装置のコネクタ
５２  第３のカード装置のコネクタ
６０  ＣＰＵ
６１  Ｎｏｒｔｈ  Ｂｒｉｄｇｅ（ノースブリッジ）
６２  Ｓｏｕｔｈ  Ｂｒｉｄｇｅ（サウスブリッジ）
６３  ＥＣ／ＫＢＣ（エンベデッドコントローラ）
６４  ＬＣＤ（液晶ディスプレイ）
６５  ＧＰＵ（グラフィックコントローラ）
６６  Ｍａｉｎ  Ｍｅｍｏｒｙ（メインメモリ）
６７  カードコントローラ
６８  マウス
６９  キーボード
【図１】
2007241416.tif 000003
【図２】
2007241416.tif 000004
【図３】
2007241416.tif 000005
【図４】
2007241416.tif 000006
【図５】
2007241416.tif 000007
【図６】
2007241416.tif 000008
【図７】
2007241416.tif 000009
【図８】
2007241416.tif 000010
【図９】
2007241416.tif 000011